(57)【要約】【課題】  光学式ピックアップの対物レンズの変位に伴って発生する球面収差を補正する収差補正方法を提供する。【解決手段】  球面収差を補正する収差補正素子８が組み込まれている光学式ピックアップ９を使用する光ディスク記録再生装置の球面収差補正方法であり、光学式ピックアップ９に組み込まれている対物レンズ４の基準位置からの変位距離を求め、求められた距離に基づいて前記収差補正素子８を制御することによって球面収差を補正するように構成されている。【選択図】    図１
2006331595.tif 000002
【特許請求の範囲】
【請求項１】
球面収差を補正する収差補正素子が組み込まれている光学式ピックアップから照射されるレーザー光を光ディスクの信号面に合焦させるフォーカスサーボ回路及び該レーザー光を信号トラックに追従させるトラッキングサーボ回路を備えた光ディスク記録再生装置の球面収差補正方法であり、光学式ピックアップに組み込まれている対物レンズの基準位置からの変位距離を求め、求められた距離に基づいて前記収差補正素子を制御することによって球面収差を補正するようにしたことを特徴とする光ディスク記録再生装置の球面収差補正方法。
【請求項２】
対物レンズの基準位置からの変位距離をフォーカスサーボ回路からフォーカシングコイルへ供給される駆動電圧から求めるようにしたことを特徴とする請求項１に記載の球面収差補正方法。
【請求項３】
求められた変位距離に基づく収差補正素子の制御動作を収差補正データメモリー回路に記憶されているデータに基いて行うようにしたことを特徴とする請求項１に記載の球面収差補正方法。
【請求項４】
対物レンズの変位距離に基づく球面収差補正動作をディスクに記録されている信号の再生動作中又は該ディスクへの信号の記録動作中に行うようにしたことを特徴とする請求項１に記載の球面収差補正方法。
【請求項５】
対物レンズの変位距離検出動作をディスクに記録されている信号の再生動作を行う前又はディスクへの記録動作を行う前に行うようにしたことを特徴とする請求項１に記載の球面収差補正方法。
【請求項６】
対物レンズの変位距離検出動作をディスクの内周側の第１検出位置及び外周側の第２検出位置にて行うようにしたことを特徴とする請求項５に記載の球面収差補正方法。
【請求項７】
第１検出位置及び第２検出位置の各位置にて求められた対物レンズの変位距離と第１検出位置と第２検出位置間の距離とより得られる関係からディスク面上の再生動作位置又は記録動作位置における対物レンズの変位距離を求めるようにしたことを特徴とする請求項６に記載の球面収差補正方法。
【発明の詳細な説明】
【技術分野】
【０００１】
本発明は、光学式ピックアップに組み込まれているレーザーダイオードから照射されるレーザー光にて光ディスクに記録されている信号の再生動作及び該ディスクへの信号の記録動作を行う光ディスク記録再生装置に関し、特に球面収差補正方法に係る。
【背景技術】
【０００２】
光学式ピックアップから照射されるレーザー光によって光ディスクに記録されている信号の再生動作や該ディスクに信号を記録する動作を行うように構成された光ディスク記録再生装置が普及している。
【０００３】
現在、一般に普及している光ディスクとしては、ＣＤ系光ディスク及びＣＤ系光ディスクより高密度であるＤＶＤ系光ディスクがある。また、最近では、ブルーレーザーを用いて信号の記録再生動作を行うＢｌｕ−Ｒａｙ規格やＡＯＤ（Ａｄｖａｎｃｅｄ  Ｏｐｔｉｃａｌ  Ｄｉｓｃ）規格が提案されており、これらの規格を用いた光ディスクや光ディスク記録再生装置の商品化が進められている。
【０００４】
光ディスク記録再生装置では、光学式ピックアップから照射されるレーザー光をディスクの信号面に合焦させるフォーカス制御動作が行われるが、高密度ディスクを使用する光ディスク記録再生装置では、光学式ピックアップと光ディスクの信号面との間の距離が変化すると対物レンズが光ディスクに対して垂直方向へ変位するので、透明保護基板に対する距離変化に伴って球面収差量が変化することになる。
【０００５】
斯かる球面収差量が変化すると、光ディスクの信号面に照射されるレーザー光のスポット形状が変化するため、光ディスクに記録されている信号の再生動作や該光ディスクへの信号の記録動作を正確に行えないという問題がある。斯かる問題を解決するために球面収差を補正する機能が組み込まれた光学式ピックアップに関する技術が開発されている(例えば、特許文献１参照。)。
【特許文献１】特開２００４−３０３３０１号公報
【発明の開示】
【発明が解決しようとする課題】
【０００６】
特許文献１に記載されている光学式ピックアップによれば球面収差を補正することは出来るものの球面収差の補正制御動作をどのように行うかが問題になる。
【０００７】
本発明は、特許文献１に記載されているような球面収差補正素子が組み込まれている光学式ピックアップを使用して球面収差の補正動作を容易に行うことが出来る球面収差補正方法を提供しようとするものである。
【課題を解決するための手段】
【０００８】
本発明は、光学式ピックアップに組み込まれている対物レンズの基準位置からの変位距離を求め、求められた変位距離に基づいて光学式ピックアップに組み込まれている収差補正素子を制御することによって球面収差を補正するように構成されている。
【０００９】
また、本発明は、対物レンズの基準位置からの変位距離をフォーカスサーボ回路からフォーカシングコイルへ供給される駆動電圧から求めるように構成されている。
【００１０】
そして、本発明は、求められた対物レンズの変位距離に基づく球面収差補正素子の制御動作をディスクに記録されている信号の再生動作中又は該ディスクへの信号の記録動作中に行うように構成されている。
【００１１】
また、本発明は、対物レンズの変位距離検出動作をディスクに記録されている信号の再生動作を行う前又はディスクへの記録動作を行う前に行うように構成されている。
【００１２】
そして、本発明は、対物レンズの変位距離検出動作をディスクの内周側の第１検出位置及び外周側の第２検出位置にて行うように構成されている。
【００１３】
また、本発明は、第１検出位置及び第２検出位置の各位置にて求められた対物レンズの変位距離と第１検出位置と第２検出位置との間の距離より得られる関係からディスク面上の再生動作位置又は記録動作位置における対物レンズの変位距離を求めるように構成されている。
【発明の効果】
【００１４】
本発明は、光学式ピックアップに組み込まれている対物レンズの基準位置からの変位距離を求め、求められた変位距離に基づいて収差補正素子を制御することによって球面収差を補正するようにしたので、対物レンズの基準位置からのずれによって生じる球面収差に適した補正動作を行うことが出来る。
【００１５】
また、本発明は、対物レンズの基準位置からの変位距離をフォーカスサーボ回路からフォーカシングコイルへ供給される駆動電圧から求めるようにしたので、構成が簡単になり、容易に構成することが出来る。
【００１６】
そして、本発明は、求められた変位距離に基づく収差補正素子の制御動作を収差補正データメモリー回路に記憶されているデータに基いて行うようにしたので、製造時に多くのデータをメモリー回路に記憶させるようにすれば、より正確な球面収差の補正動作を行うことが出来る。
【００１７】
また、本発明は、対物レンズの変位距離に基づく球面収差補正動作をディスクに記録されている信号の再生動作中又は該ディスクへの信号の記録動作中に行うようにしたので、ディスクからの信号の再生動作及びディスクへの信号の記録動作を正確に行うことが出来る。
【００１８】
そして、本発明は、対物レンズの変位距離検出動作をディスクに記録されている信号の再生動作を行う前又はディスクへの記録動作を行う前に行うようにしたので、再生動作又は記録動作を行う前に球面収差の補正動作を行うためのデータを前もって設定することが出来る。
【００１９】
また、本発明は、対物レンズの変位距離検出動作をディスクの内周側の第１検出位置及び外周側の第２検出位置にて行うようにしたので、距離検出動作の回数を少なくすることが出来、再生動作又は記録動作の開始を速やかに行うことが出来る。
【００２０】
そして、本発明は、第１検出位置及び第２検出位置の各位置にて求められた対物レンズの変位距離と第１検出位置と第２検出位置との間の距離とより得られる関係からディスク面上の再生動作位置又は記録動作位置における対物レンズの変位距離を求めるようにしたので、ディスク面上の各動作位置における球面収差補正動作を容易に行うことが出来る。
【実施例】
【００２１】
図１は本発明に係る光ディスク記録再生装置の一実施例を示すブロック回路図、図２は本発明に係る光学式ピックアップと光ディスクとの関係を示す概略図である。
【００２２】
まず、図２を参照して説明する。同図において、１はレーザー光を放射するレーザーダイオード、２は前記レーザーダイオード１から放射されるレーザー光を通過させるとともに光ディスク３の信号面３Ａから反射されるレーザー光を分岐させるビームスプリッタ、４は前記ビームスプリッタ２を通過したレーザー光を前記信号面３Ａに合焦させる対物レンズであり、４本ワイヤー(図示せず)等の支持部材にて支持されているレンズホルダーに固定されているとともに光ディスク３の信号面３Ａに対して垂直方向及び光ディスク３の径方向への変位を可能に設けられている。
【００２３】
５は前記レンズホルダーの周囲に巻かれているフォーカシングコイルであり、光学式ピックアップの本体に固定されているマグネットとの協働によりレンズホルダーを光ディスク３の信号面３Ａに対して垂直方向へ変位させる作用を有するものである。６は前記光ディスク３の信号面３Ａから反射されたレーザー光が対物レンズ４及びビームスプリッタ２を介して入射されるレンズであり、光検出器７に反射光であるレーザー光を照射させる作用を成すものである。８は液晶パネル等にて構成されている収差補正素子であり、特開２００４−３０３３０１号公報に記載されているように液晶を制御することによって球面収差の補正を行うことが出来るように構成されている。
【００２４】
以上に説明したように本発明に係る光学式ピックアップは構成されているが、次に図１を参照して本発明の球面収差補正方法について説明する。同図において、９は前述した光学式ピックアップであり、前述したレーザーダイオード１、対物レンズ４、フォーカシングコイル５、光検出器７及び収差補正素子８が組み込まれているとともに対物レンズ４を光ディスク３の径方向へ変位させるトラッキングコイル１０が組み込まれている。
【００２５】
斯かる構成において、光学式ピックアップ９の本体は、ピックアップ送り用モーター(図示せず)によって光ディスク３の径方向に変位せしめられるように構成されている。斯かる駆動機構は周知の機構を利用すればよいので、その説明は省略する。また、前記光検出器７は、４分割された光検出器等にて構成することが出来、その構成は周知であるのでその説明は省略する。
【００２６】
１１は前記光検出器７から得られる電気信号が光信号として入力される光出力信号処理回路であり、レーザー光の信号トラックに対するズレをを示すトラッキングエラー信号を生成するトラッキングエラー信号生成回路(図示せず)及びレーザー光の信号面３Ａに対するフォーカスのズレを示すフォーカスエラー信号を出力するフォーカスエラー信号生成回路(図示せず)が組み込まれている。斯かるトラッキングエラー信号生成回路及びフォーカスエラー信号生成回路は、周知の技術を利用すれば良く、その説明は省略する。
【００２７】
そして、前記光出力信号処理回路１１には、光ディスク３に記録されている信号の再生信号を波形成形することによって２値化した信号を生成する信号再生回路(図示せず)が組み込まれている。斯かる光出力信号処理回路１１による各種信号の生成動作は周知の回路にて行われるので、その説明は省略する。
【００２８】
１２は前記光出力信号処理回路１１に組み込まれているトラッキングエラー信号生成回路によって生成されるトラッキングエラー信号が入力されるトラッキングサーボ回路であり、入力されるトラッキングエラー信号に基づくトラッキングコイル駆動信号を前記トラッキングコイル１０に供給することによってトラッキング制御動作を行うように構成されている。
【００２９】
１３は前記光出力信号処理回路１１に組み込まれているフォーカスエラー信号生成回路によって生成されるフォーカスエラー信号が入力されるフォーカスサーボ回路であり、入力されるフォーカスエラー信号に基づくフォーカシングコイル駆動信号を前記フォーカシングコイル５に供給することによってフォーカシング制御動作を行うように構成されている。
【００３０】
前記フォーカスサーボ回路１３からフォーカシングコイル５に供給されるフォーカシングコイル駆動信号は、対物レンズ４を光ディスク３の信号面３Ａに合焦させる位置である動作位置に変位させる直流電圧と光ディスク３の面振動に伴うフォーカスズレを補正するために対物レンズ４を高速で変位させる高周波信号とにより構成されているが、斯かる信号は周知であるので、その説明は省略する。
【００３１】
１４は前記光出力信号処理回路１１内に設けられている２値化回路によって２値化された再生信号が入力されるとともにデジタル信号処理を行うデジタル信号処理回路であり、光ディスク３に記録されている同期信号、位置情報データ及び記録信号等の各種の信号を復調するように構成されている。１５は光ディスク記録再生装置の各動作を制御するシステム制御回路であり、前記デジタル信号処理回路１４にて復調されて生成される同期信号を利用してスピンドルモーターによる光ディスク３の回転制御動作や再生信号及び記録信号の処理動作、そして外部に設けられているパーソナルコンピューター等のホスト機器とインターフェース回路にて接続されており、該インターフェース回路を介して信号の送受信動作等を行うことが出来るように構成されている。
【００３２】
斯かるシステム制御回路１５は、マイクロコンピューターにて構成されており、内部に設けられているフラッシユＲＯＭ等の記憶素子に記憶されているプログラムソフトに基づいて各種の制御動作を行うように構成されている。
【００３３】
１６はホスト機器から入力される記録信号やシステム制御回路１５にて生成されるテスト信号が入力される信号記録用回路であり、光ディスク３の規格に合わせて記録信号をインターリーブ等のエンコード処理する作用を有している。斯かる信号記録用回路１６によるエンコード処理動作は、周知であるのでその説明は省略する。
【００３４】
１７は前記信号記録用回路１６によってエンコード処理された記録信号が入力されるレーザー駆動信号生成回路であり、記録信号に対応した記録用パルス信号を生成するように構成されている。即ち、例えばＤＶＤ規格の光ディスクの場合には、記録信号に対応させて３Ｔ、４Ｔ…１４Ｔの長さのピットを光ディスク３の信号面３Ａに形成するためのパルス信号を生成するように構成されている。
【００３５】
１８は前記レーザー駆動信号生成回路１７より生成出力される駆動信号に応じて前記レーザーダイオード１を駆動する信号を出力するレーザー駆動回路である。斯かるレーザー駆動回路１８は、光学式ピックアップ９内に組み込まれているとともにレーザーダイオード１から放射されるレーザー光の出力をモニターするべく設けられているモニター用ダイオードから得られるモニター信号を利用してレーザーダイオード１から放射されるレーザー光の出力を設定された出力になるように制御する機能が組み込まれている。
【００３６】
１９は前記フォーカスサーボ回路１３からフォーカシングコイル５に供給される駆動信号の中から前述した対物レンズ４を動作位置に変位させる直流電圧を検出する駆動電圧値検出回路であり、検出された電圧値に対応したデジタル値に変更してシステム制御回路１５に入力するように構成されている。
【００３７】
光ディスク３をターンテーブル(図示せず)に載置させてスピンドルモーターによって該
ターンテーブルを回転駆動することによって該光ディスク３の回転駆動動作は行われるが、斯かる状態にあるときフォーカスサーボ回路１３によるフォーカス制御動作が行われる。即ち、光ディスク３の信号面３Ａから反射されるレーザー光が光検出器７に照射されると、該光検出器７から得られる信号に基づくフォーカスエラー信号が光出力信号処理回路１１にて生成されてフォーカスサーボ回路１３に印加され、該フォーカスサーボ回路１３によるフォーカス制御動作が行われる。
【００３８】
前記フォーカスサーボ回路１３によるフォーカス制御動作は、フォーカシングコイル５に駆動信号を供給することにより対物レンズ４を信号面３Ａに対して垂直方向へ変位させることによって行われるが、斯かる動作はフォーカスエラー信号のレベルを小さくする方向に対物レンズ４を変位させるように行われる。
【００３９】
前記フォーカスサーボ回路１３によるフォーカス制御動作は前述したように行われるが、光ディスク３の信号面３Ａと対物レンズ４の基準位置との距離をＬとしたとき、距離Ｌを一定にするべく光ディスク３の信号面３Ａの面方向への変位に伴って対物レンズ４を変位させる直流電圧がフォーカシングコイル５に供給されることになる。
【００４０】
この直流電圧の値を検出することによって対物レンズ４の基準位置に対する変位量を認識することが出来るので、駆動電圧値検出回路１９によって検出された駆動電圧値が入力されるシステム制御回路１５による距離算出動作が行われる。２０は前記システム制御回路１５によって算出された距離が記憶される変位距離メモリー回路である。
【００４１】
２１は対物レンズ４の基準位置からの変位量に応じて球面収差を補正するデータが記憶されている収差補正データメモリー回路であり、前記システム制御回路１５によってデータ信号の書き込み読み出し動作が制御されるように構成されている。
【００４２】
２２は前記光学式ピックアップ９に組み込まれている収差補正素子８の動作を制御する収差補正素子制御回路であり、前記収差補正データメモリー回路２１に記憶されているデータに基いてシステム制御回路１５から出力される制御信号により前記収差補正素子８による収差補正動作を制御するように構成されている。
【００４３】
以上に説明したように本発明に係る光ディスク記録再生装置は構成されているが、次に動作について説明する。光ディスク３に記録されている信号の再生動作を行う場合には、スピンドルモーターの回転駆動制御動作が行われ、光ディスク３は所定の線速度一定の状態にて回転駆動されることになる。斯かる線速度を一定にするための制御動作は、光ディスク３から読み出される同期信号とシステム制御回路１５により制御されるべく接続されている同期信号生成回路(図示せず)から生成される同期信号とを同期させることによって行われるが、斯かる動作は周知であるのでその説明は省略する。
【００４４】
光ディスク３に記録されている信号を再生するためにレーザー駆動回路１８からレーザーダイオード１に供給される駆動信号は、再生動作を行うために必要なレーザー出力が得られる値になるように設定されている。前記レーザーダイオード１から放射されるレーザー光は、ビームスプリッタ２を透過した後収差補正素子８を通して対物レンズ４に入射される。該対物レンズ４に入射されたレーザー光は、該対物レンズ４によって集光されて光ディスク３の信号面３Ａに合焦されることになるが、斯かる合焦動作は、フォーカスサーボ回路１３による制御動作によって行われる。
【００４５】
前記フォーカスサーボ回路１３によるフォーカス制御動作は、光ディスク３の信号面３Ａから反射されたレーザー光が照射される光検出器７より得られる信号を利用して行われる。前記光検出器７から得られる信号は、光出力信号処理回路１１に入力され、その信号
に基づいてフォーカスエラー信号が生成され、そのフォーカスエラー信号はフォーカスサーボ回路１３に入力される。斯かるフォーカスエラー信号がフォーカスサーボ回路１３に入力されると、該フォーカスサーボ回路１３からフォーカシングコイル５に対してフォーカスエラー信号のレベルを小さくする方向に対物レンズ４を変位させる駆動信号が供給される。斯かる駆動信号がフォーカシングコイル５に供給される結果、レーザー光を光ディスク３の信号面３Ａに合焦させる動作、即ちフォーカス制御動作を行うことが出来る。
【００４６】
前述したようにフォーカス制御動作は行われるが、トラッキング制御動作も同様に行うことが出来る。レーザーダイオード１から放射されるレーザー光のスポットが光ディスク３の信号面３Ａに形成されている信号トラックから外れると、その外れの大きさに対応したレベルのトラッキングエラー信号が光出力信号処理回路１１から出力される。
【００４７】
斯かるトラッキングエラー信号が、トラッキングサーボ回路１２に入力されると、該トラッキングサーボ回路１２からトラッキングコイル１０に対してトラッキングエラー信号のレベルを小さくする方向に対物レンズ４を変位させる駆動信号が供給される。斯かる駆動信号が、トラッキングコイル１０に供給される結果、レーザー光のスポットを光ディスク３の信号面３Ａに設けられている信号トラックに追従させる動作、即ちトラッキング制御動作を行うことが出来る。
【００４８】
前述したフォーカス制御動作及びトラッキング制御動作が行われる結果、光ディスク３の信号面３Ａに形成されている信号トラック上に記録されている信号のレーザー光による読み取り動作を行うことが出来る。光ディスク３の信号面３Ａには、長さの異なる複数のピットにより信号が記録されており、斯かるピットの長さに応じて２値化された信号が光出力信号処理回路１１から出力される。
【００４９】
前記光出力信号処理回路１１から出力される２値化信号は、デジタル信号処理回路１４に入力され、該デジタル信号処理回路１４によって信号の復調動作が行われる。前記デジタル信号処理回路１４によって復調されたデータ信号は、システム制御回路１５及びインターフェース回路を介してパーソナルコンピューター等へ出力されることになる。
【００５０】
以上に説明したように本実施例における再生動作は行われるが、次に信号の記録動作について説明する。記録動作時におけるスピンドルモーターによる光ディスク３の回転制御動作、トラッキングサーボ回路１２によるトラッキング制御動作及びフォーカスサーボ回路１３によるフォーカス制御動作は、前述した再生動作時の動作と同様に行われる。
【００５１】
パーソナルコンピューターより出力される記録信号は、インターフェース回路及びシステム制御回路１５を介して信号記録用回路１６に入力されるとともに該信号記録用回路１６によってエンコード処理される。前記信号記録用回路１６によってエンコード処理された記録信号は、レーザー駆動信号生成回路１７に入力されるので、該レーザー駆動信号生成回路１７は、入力される記録信号に応じた長さのピットを光ディスク３の信号面３Ａに形成されている信号トラックに形成するためのパルス信号をレーザー駆動回路１８に対して出力する。
【００５２】
斯かる場合にレーザー駆動回路１８に供給される駆動信号のパルス波形は、光ディスク３の記録特性に対応させて記録ストラテジメモリー(図示せず)に記憶されているストラテジデータに基づいて形成されることになる。このようにして生成制御されたパルス波形の駆動信号がレーザー駆動回路１８に供給されると、そのパルス波形に対応した駆動信号が該レーザー駆動回路１８からレーザーダイオード１に対して供給される。
【００５３】
斯かる駆動信号がレーザーダイオード１に供給されると、該レーザーダイオード１から
供給されるパルス信号に応じたレーザー光が放射され、そのレーザー光が光ディスク３の信号面３Ａに照射されるので、信号トラックにピットが形成されることになる。斯かる動作によって形成されるピットの長さは、ＤＶＤ規格の光ディスクの場合には、３Ｔ、４Ｔ…１４Ｔとなる。
【００５４】
以上に説明したように本実施例における再生動作及び記録動作は行われるが、次に本発明の要旨である球面収差補正方法について説明する。
【００５５】
図２に示した光学式ピックアップを構成する光学系は、対物レンズ４に入射されるレーザー光が平行光ではなく、一般に有限系と呼ばれている。斯かる有限系と呼ばれる光学系を使用した光学式ピックアップは、無限系ピックアップのようにレーザー光を平行光にして対物レンズ４に入射させるコリメータと呼ばれるレンズを必要としないので、安価になるものの対物レンズ４と光ディスク３の信号面３Ａとの距離が変化すると球面収差量の変化が大きく信号の再生動作や記録動作に悪影響を与えるという問題がある。
【００５６】
本発明は、斯かる球面収差を補正する方法を提供するものであり、以下その方法について説明する。基準となる基準ディスク、即ち反り等のないディスクをターンテーブル上に載置させた状態において、光学式ピックアップ９に組み込まれている対物レンズ４の基準位置と基準ディスクの信号面との位置関係を検出し、その位置を対物レンズ４の基準位置として設定する。
【００５７】
次に、フォーカシングコイル５に供給される駆動電圧を段階的に変更させて対物レンズ４の位置を変位させるとともにその位置と基準位置との間の距離を求め、その距離に適した球面収差の補正動作を行うために収差補正素子８を制御するデータを求め、そのデータをテーブルデータとして収差補正データメモリー回路２１に記憶させる動作を行う。
【００５８】
前記収差補正データメモリー回路２１への収差補正データの記憶動作を基準ディスクを使用して行うようにした場合について説明したが、光学式ピックアップの製造工程において、対物レンズ４の基準位置を設定した後フォーカシングコイル５に供給される駆動電圧を段階的に変更させて対物レンズ４の位置を変位させるとともにその位置と基準位置との間の距離を求め、その距離に適した球面収差の補正動作を行うために必要な制御信号を得るためのデータを測定器を使用して求めるようにすることも出来る。
【００５９】
前述したように再生動作及び記録動作を行っている状態では、フォーカスサーボ回路１３によるフォーカス制御動作が行われるが、斯かる状態にあるとき駆動電圧値検出回路１９による駆動電圧の検出動作が行われた状態にある。前記駆動電圧値検出回路１９による検出動作は、フォーカスサーボ回路１２からフォーカシングコイル５に供給される駆動信号の中の直流電圧に対して行われる。
【００６０】
フォーカシングコイル５に供給される駆動信号の中の直流電圧の変化は、対物レンズ４の基準位置からの変位量を示すものであり、その変位量に対応して収差補正データメモリー回路２１に記憶されている収差補正データの読み出し動作が行われる。
【００６１】
このようにして対物レンズ４の位置に応じた収差補正データが読み出されると、その収差補正データに基く収差補正制御信号がシステム制御回路１５から収差補正素子制御回路２２に対して出力されることになる。斯かる収差補正制御信号が収差補正素子制御回路２２に入力されると、該収差補正素子制御回路２２から収差補正素子８対して収差補正駆動信号が出力される。
【００６２】
斯かる収差補正駆動信号が収差補正素子８に供給されると、該収差補正素子８による収
差補正動作が行われるので、対物レンズ４の変位によって生じる球面収差を補正するための動作が行われる。従って、光ディスク３の信号面３Ａには、収差のないレーザー光のスポットを照射させることが出来るので、信号の再生動作や記録動作を正確に安定した状態にて行うことが出来る。
【００６３】
前述した収差補正動作は、再生動作又は記録動作を行っているときに対物レンズ４の変位距離を検出することによって行うようにしたが、再生動作又は記録動作を行う前に行うことも出来る。斯かる動作は、光ディスク３を回転させた状態において、光学式ピックアップ９を光ディスク３の内周側から外周側へ移動させながらフォーカシングコイル５へ供給される駆動電圧の変化から対物レンズ４の基準位置からの変位距離を求め、その求められた変位距離と光ディスク３から読み出される位置情報データとが変位距離メモリー回路２０に記憶させることにより行われる。
【００６４】
このように再生動作又は記録動作を行う前に使用される光ディスク３上の各位置における対物レンズ４の基準位置からの変位距離が求められているので、再生動作又は記録動作を行っているとき、その動作位置における変位距離を変位距離メモリー回路２０から読み出すとともにその読み出された変位距離に対応した収差補正データを収差補正データメモリー回路２１から読み出すことによって収差補正素子８に対する補正動作を行うことが出来る。
【００６５】
前記変位距離メモリー回路２０への変位距離データの記憶動作を光ディスク３上の多くの位置で行えば使用する光ディスク３の各位置における球面収差補正動作を正確に行うことが出来るが、内周側と外周側の２箇所において変位距離の検出動作を行うことによっても収差補正動作を行うことは出来る。
【００６６】
即ち、この場合には、光ディスク３上の内周側の第１検出位置、例えばＴＯＣデータが記録されているリードイン領域にて変位距離検出動作を行うとともに光ディスク３上の外周側の第２位置であるリードアウト領域にて変位距離検出動作を行って第１検出位置及び第２検出位置における位置情報データと各位置にて検出された変位距離データを変位距離メモリー回路２０に記憶させる動作を行う。
【００６７】
前述した位置情報データと変位距離データが記憶されると、第１検出位置と第２検出位置との間の距離を求めるとともに各位置における変位距離の差を求める動作を行う。斯かる動作を行うと、第１検出位置と第２検出位置間における変位距離の変化、即ち傾きが算出されるので、再生動作時又は記録動作時において各動作位置における変位距離を算出することが出来る。
【００６８】
従って、再生動作又は記録動作を行っているとき、その動作位置における変位距離を変位距離メモリー回路２０に記憶されているデータから算出される変位距離に対応した収差補正データを収差補正データメモリー回路２１から読み出すことによって収差補正素子８に対する補正動作を行うことが出来る。
【図面の簡単な説明】
【００６９】
【図１】本発明に係る光ディスク記録再生装置の一実施例である。
【図２】本発明に係る光学式ピックアップと光ディスクとの関係を示す概略図である。
【符号の説明】
【００７０】
１        レーザーダイオード
３        光ディスク
４        対物レンズ
５        フォーカシングコイル
７        光検出器
８        収差補正素子
９        光学式ピックアップ
１１        光出力信号処理回路
１３        フォーカスサーボ回路
１５        システム制御回路
１９        駆動電圧値検出回路
２０        変位距離メモリー回路
２１        収差補正データメモリー回路
【図１】
2006331595.tif 000003
【図２】
2006331595.tif 000004